(57)【要約】  本発明に係る隠しスライドファスナー（１０）は、左右の連続エレメント列（３）が噛合したときに、付き合わせ状態にある左右のファスナーテープ（２）のテープ折曲部が互いに離間する方向へ移動することを規制する規制部材（１１）を有している。この規制部材（１１）は、前記ファスナーテープ（２）の折り返し片部の内面に取着され、且つ、連続エレメント列（３）の噛合時に同規制部材（１１）の一側縁が前記テープ折曲部の内面に当接する位置に配されている。これにより、連続エレメント列（３）の噛合時に左右のファスナーテープ（２）が横引き力を受けても、テープ折曲部が移動することを規制部材（１１）で規制して、左右のテープ折曲部同士が付き合せられた状態を維持できるため、連続エレメント列（３）を安定して隠蔽することができる。
2010087016.tif 000002
【特許請求の範囲】
【請求項１】
左右一対のファスナーテープ(2) の対向側側縁部が、テープ長さ方向に沿って、テープ幅方向にＵ字状に折り曲げられ、その折り曲げられたテープ折曲部(2c)の側端縁からテープ幅方向に延びた折り返し片部(2b)の外面に、噛合頭部(6a)を有する連続エレメント列(3) が縫着糸(5) により縫着され、左右の前記噛合頭部(6a)は、前記テープ折曲部(2c)から外方へ突出してなる隠しスライドファスナー(10,10',20,30,40,40') であって、
左右の前記連続エレメント列(3) が噛合したときに、付き合わせ状態にある左右の前記テープ折曲部(2c)が互いに離間する方向へ移動することを規制する規制部材(11,11',21,21',31,41,41') が、前記折り返し片部(2b)の内面に取着され、且つ、前記連続エレメント列(3) の噛合時に同規制部材(11,11',21,21',31,41,41') の一側縁が前記テープ折曲部(2c)の内面に当接する位置に配されてなることを特徴とする隠しスライドファスナー。
【請求項２】
前記規制部材(11,11',21,21',31,41,41') は、前記縫着糸(5) によって、前記連続エレメント列(3) とともに縫着されてなる請求の範囲第１項記載の隠しスライドファスナー。
【請求項３】
前記規制部材(11,11',21,21',31)は、小片状に形成された複数の規制本体部(12,22,32)を有し、同規制本体部(12,22,32)は、前記ファスナーテープ(2) の長さ方向に間欠的に縫着されてなる請求の範囲第１又は２項記載の隠しスライドファスナー。
【請求項４】
前記規制部材(11,11',21,21',31)は、前記規制本体部(12,22,32)をテープ長さ方向に連結する連結部(13,13',23,23',33)を有してなる請求の範囲第３項記載の隠しスライドファスナー。
【請求項５】
前記規制部材(41,41')は、帯状に形成され、前記ファスナーテープ(2) の長さ方向に連続的に縫着されてなる請求の範囲第１又は２項記載の隠しスライドファスナー。
【請求項６】
前記規制部材(41') は、同規制部材(41') の他側縁から切り込まれたスリット(44') を有してなる請求の範囲第５項記載の隠しスライドファスナー。
【請求項７】
前記規制部材(21,21')の前記折り返し片部(2b)に接触する第１面とは反対側の第２面に、前記縫着糸(5) を収容する収容溝(22a) が凹設されてなる請求の範囲第１〜６項のいずれかに記載の隠しスライドファスナー。
【発明の詳細な説明】
【技術分野】
【０００１】
本発明は、左右のエレメント列を噛合させたときに、ファスナーテープの外側に露出するテープ外面側から、噛合したエレメント列を見えないように隠蔽する隠蔽性に優れた隠しスライドファスナーに関する。
【背景技術】
【０００２】
一般に、スライドファスナーは、噛合した左右のエレメント列がファスナーテープのテープ外面側に配されて露出する通常タイプのスライドファスナーと、噛合した左右のエレメント列を外側から見えないように隠蔽する隠しタイプのスライドファスナー（所謂、隠しスライドファスナー）の２種類の代表的なタイプに大別される。隠しスライドファスナーは、その隠蔽性から製品のデザイン性を妨げないという利点を生かして各種衣類や靴等の製品に好適に使用され、また近年では、自動車や列車の座席シート用シートカバー等にも使用されてきている。【０００３】
このような隠しスライドファスナーの一例が、実公昭４９−４３４５４号公報（特許文献１）に開示されている。
この特許文献１に記載されている隠しスライドファスナー６０は、図１３に示したように、左右一対のファスナーテープ６１と、各ファスナーテープ６１に縫着されたコイル状の連続エレメント列６２と、ファスナーテープ６１と連続エレメント列６２との間に配され、連続エレメント列６２とともにファスナーテープ６１に縫着される隠蔽片６３とを有している。【０００４】
前記ファスナーテープ６１は、同ファスナーテープ６１の対向側側縁部が、テープ長さ方向に沿ってテープ幅方向にＵ字状に折り曲げられており、隠しスライドファスナー６０の露出面側に配されるテープ本体部６１ａと、同テープ本体部６１ａから連続して配され、Ｕ字状に折り曲げられたテープ折曲部６１ｃと、同テープ折曲部６１ｃの側端縁からテープ幅方向に延びた折り返し片部６１ｂとを有している。【０００５】
前記連続エレメント列６２は、噛合頭部６２ａと上下脚部６２ｂ，６２ｃとを有するファスナーエレメントが、隣接するファスナーエレメントと脚部連結部６２ｄを介して連結されて形成されている。また、この連続エレメント列６２は、上下脚部６２ｂ，６２ｃ間に芯紐６４が挿通され、且つ、同連続エレメント列６２の噛合頭部６２ａがテープ折曲部６１ｃから外方へ突出した状態となるように、縫着糸６５を用いて、折り返し片部６１ｂに隠蔽片６３を介して縫着されている。【０００６】
この場合、連続エレメント列６２とともに縫着される隠蔽片６３は、同隠蔽片６３の一側縁が縫着糸６５の刺通位置よりも噛合頭部６２ａ側に延設されており、左右の連続エレメント列６２が噛合したときに左右の隠蔽片６３の一側縁同士が付き合わされるように配されている。【０００７】
このような特許文献１の隠しスライドファスナー６０において、図示しないスライダーを摺動させて左右の連続エレメント列６２を噛合させた場合、左右のファスナーテープ６１の前記テープ折曲部６１ｃが付き合わされるとともに、ファスナーテープ６１と連続エレメント列６２との間にて左右の隠蔽片６３の一側縁同士も付き合わされる。これにより、噛合状態にある左右の連続エレメント列６２が、ファスナーテープ６１のテープ露出面側から見えないように隠蔽される。【０００８】
また、同隠しスライドファスナー６０では、左右の連続エレメント列６２が噛合しているときに、左右のファスナーテープ６１が、テープ幅方向に沿って外側へ引っ張る張力（横引き力）を受けた場合、同ファスナーテープ６１の左右のテープ折曲部６１ｃが互いに離間する方向へ移動し、左右のテープ折曲部６１ｃ間に間隙が形成される。その一方で、左右の隠蔽片６３は、左右のファスナーテープ６１が横引き力を受けても動くことはなく、同隠蔽片６３の一側縁同士が付き合わされた状態を維持することができる。【０００９】
従って、特許文献１の隠しスライドファスナー６０は、左右の連続エレメント列６２が噛合している状態にて左右のファスナーテープ６１が上述のような横引き力を受けても、左右の隠蔽片６３が付き合わせられている状態を維持できるため、同隠蔽片６３により左右の連続エレメント列６２が隠蔽されて、連続エレメント列６２が露出することを防ぐことができる。【００１０】
特に、特許文献１によれば、ファスナーテープ６１の材質と隠蔽片６３の材質とを同じものとすることによって、上述のように左右のテープ折曲部６１ｃの間に間隙が形成されても、その間隙からファスナーテープ６１と同一色調の隠蔽片６３が見えるため、スライドファスナーの体裁を向上させることができるとしている。
【特許文献１】実公昭４９−４３４５４号公報
【発明の開示】
【発明が解決しようとする課題】
【００１１】
前記特許文献１の隠しスライドファスナー６０では、連続エレメント列６２の噛合時に左右のファスナーテープ６１が横引き力を受けて外側に引っ張られても、左右の隠蔽片６３によって噛合状態の連続エレメント列６２を安定して隠蔽することができるものの、このとき、左右のテープ折曲部６１ｃ間には間隙が形成されてしまう。【００１２】
このため、例えば同隠しスライドファスナー６０を自動車のシートカバー等の製品に取着した場合、左右のファスナーテープ６１が横引き力を受けたときに、同ファスナーテープ６１のテープ折曲部６１ｃ間に形成される間隙によって、同隠しスライドファスナー６０が取着された製品の体裁が悪くなったり、また、同製品のデザイン性が損なわれたりするという問題があった。【００１３】
本発明は上記従来の課題に鑑みてなされたものであって、その具体的な目的は、連続エレメント列の噛合時に左右のファスナーテープが横引き力など受けて、テープ幅方向に沿って外側に引っ張られたとしても、左右のファスナーテープの折り返し部間に間隙が形成されることなく、或いは、間隙のできる領域が従来よりも小さく、連続エレメント列を安定して隠蔽するとともに外観品質の低下を防止することができる隠しスライドファスナーを提供することにある。
【課題を解決するための手段】
【００１４】
上記目的を達成するために、本発明により提供される隠しスライドファスナーは、基本的な構成として、左右一対のファスナーテープの対向側側縁部が、テープ長さ方向に沿って、テープ幅方向にＵ字状に折り曲げられ、その折り曲げられたテープ折曲部の側端縁からテープ幅方向に延びた折り返し片部の外面に、噛合頭部を有する連続エレメント列が縫着糸により縫着され、左右の前記噛合頭部は、前記テープ折曲部から外方へ突出してなる隠しスライドファスナーであって、左右の前記連続エレメント列が噛合したときに、付き合わせ状態にある左右の前記テープ折曲部が互いに離間する方向へ移動することを規制する規制部材が、前記折り返し片部の内面に取着され、且つ、前記連続エレメント列の噛合時に同規制部材の一側縁が前記テープ折曲部の内面に当接する位置に配されてなることを最も主要な特徴とするものである。【００１５】
このような本発明に係る隠しスライドファスナーにおいて、前記規制部材は、前記縫着糸によって、前記連続エレメント列とともに縫着されていることが好ましい。【００１６】
また、本発明に係る隠しスライドファスナーにおいて、前記規制部材は、小片状に形成された複数の規制本体部を有し、同規制本体部は、前記ファスナーテープの長さ方向に間欠的に縫着されていることが好ましい。特にこの場合、前記規制部材は、前記規制本体部をテープ長さ方向に連結する連結部を有していることが好ましい。【００１７】
一方、前記規制部材は、帯状に形成され、前記ファスナーテープの長さ方向に連続的に縫着されていても良い。特にこの場合、前記規制部材は、同規制部材の他側縁から切り込まれたスリットを有していることが好ましい。【００１８】
更に、本発明において、前記規制部材の前記折り返し片部に接触する第１面とは反対側の第２面に、前記縫着糸を収容する収容溝が凹設されていることが好ましい。
【発明の効果】
【００１９】
本発明に係る隠しスライドファスナーは、左右の連続エレメント列が噛合したときに、付き合わせ状態にある左右のファスナーテープのテープ折曲部が互いに離間する方向へ移動することを規制する規制部材を有しており、この規制部材は、ファスナーテープの折り返し片部の内面に取着され、且つ、連続エレメント列の噛合時に同規制部材の一側縁がテープ折曲部の内面に当接する位置に配されている。【００２０】
このような本発明の隠しスライドファスナーによれば、左右の連続エレメント列が噛合したときに、左右のファスナーテープのテープ折曲部が付き合わせられるとともに、規制部材が、同規制部材の一側縁をファスナーテープのテープ折曲部の内面に当接させて、テープ折曲部を内面側から押さえることができる。【００２１】
これにより、左右の連続エレメント列が噛合している状態にて、左右のファスナーテープが横引き力を受けてテープ幅方向の外側に向けて引っ張られても、付き合わせ状態にある左右のテープ折曲部が互いに離間する方向へ移動することを規制して、テープ折曲部の位置を安定して保持することができる。【００２２】
このため、左右のテープ折曲部間に従来のような大きな間隙が形成されることはなく、左右のテープ折曲部同士が付き合せられた状態を維持して、噛合状態にある連続エレメント列をテープ露出面側から見えないように安定して隠蔽することができる。【００２３】
従って、本発明の隠しスライドファスナーが、例えばシートカバー等の製品に取着されて使用されたときに左右のファスナーテープに横引き力が加えられても、その製品の外観品質が低下することを防止できる。更に、本発明の隠しスライドファスナーは、簡単な構造で上述のような優れた隠蔽性を得ることができるため、従来の隠しスライドファスナーに比べて、コストの増大を招くこともない。【００２４】
本発明に係る隠しスライドファスナーにおいて、前記規制部材は、小片状に形成された複数の規制本体部を有し、同規制本体部は、前記ファスナーテープの長さ方向に間欠的に配置して、縫着されている。これにより、ファスナーテープに規制部材を縫着してもファスナーストリンガーの可撓性、特に折り返し片部における可撓性を容易に確保することができる。このため、スライダーを摺動させて隠しスライドファスナーを開閉する際に、スライダーを円滑に摺動させてスライドファスナーの開閉操作を安定して行うことができる。【００２５】
この場合、前記規制部材は、規制本体部をテープ長さ方向に連結する連結部を有していることにより、規制部材をファスナーテープに縫着するときの縫製作業を容易に行うことができ、また、規制部材の縫着位置も安定させることができる。【００２６】
一方、本発明において、前記規制部材は、帯状に形成され、前記ファスナーテープの長さ方向に連続的に縫着されていても良い。このように規制部材が連続した帯状体により形成されていることにより、左右のファスナーテープがテープ幅方向に沿って外側に引っ張られたときに、左右のテープ折曲部が離間する方向へ移動することを規制することができる。【００２７】
この場合、前記規制部材が、同規制部材の他側縁から切り込まれたスリットを有していることにより、同規制部材が縫着されている折り返し片部を撓み易くすることができるため、スライドファスナーの開閉操作時にスライダーを円滑に摺動させることができる。【００２８】
更に、本発明の隠しスライドファスナーにおいて、前記規制部材の露出する第２面には、縫着糸を収容する収容溝が凹設されている。これにより、連続エレメント列及び規制部材を縫着する縫着糸が収容溝に収容され、スライダーが連続エレメント列に沿って摺動する際に、同スライダーが、規制部材の第２面側を走行する縫着糸と干渉することを防ぐことができる。このため、スライダーが摺動するときの摺動抵抗を小さくできるとともに、縫着糸に糸切れが生じることも効果的に防止することができる。
【図面の簡単な説明】
【００２９】
【図１】図１は、本発明の実施例１に係る隠しスライドファスナーの正面図である。
【図２】図２は、図１に示したＩＩ−ＩＩ線断面図である。
【図３】図３は、同隠しスライドファスナーに配された規制部材を説明する説明図である。
【図４】図４は、同規制部材の側面図である。
【図５】図５は、実施例１の変形例に係る規制部材を示す斜視図である。
【図６】図６は、本発明の実施例２に係る隠しスライドファスナーの断面図である。
【図７】図７は、同隠しスライドファスナーが有する規制部材を示す斜視図である。
【図８】図８は、実施例２の変形例に係る規制部材を示す斜視図である。
【図９】図９は、本発明の実施例３に係る隠しスライドファスナーの断面図である。
【図１０】図１０は、同隠しスライドファスナーが有する規制部材を示す正面図である。
【図１１】図１１は、本発明の実施例４に係る隠しスライドファスナーの一方のファスナーストリンガーを示した斜視図である。
【図１２】図１２は、実施例４の変形例に係る隠しスライドファスナーの一方のファスナーストリンガーを示した斜視図である。
【図１３】図１３は、従来の隠しスライドファスナーを示す断面図である。
【符号の説明】
【００３０】
１                ファスナーストリンガー
２                ファスナーテープ
２ａ              テープ本体部
２ｂ              折り返し片部
２ｃ              テープ折曲部
３                連続エレメント列
４                スライダー
４ａ              引手取付柱
４ｂ              引手
５                縫着糸
５ａ              針糸
５ｂ              ルーパ糸
６                ファスナーエレメント
６ａ              噛合頭部
６ｂ              上脚部
６ｃ              下脚部
６ｄ              脚部連結部
７                芯紐
１０，１０’        隠しスライドファスナー
１１，１１’        規制部材
１２                規制本体部
１３，１３’        連結部
１３ａ’            幅広部
１３ｂ’            幅狭部
２０                隠しスライドファスナー
２１，２１’        規制部材
２２                規制本体部
２２ａ              収容溝
２３，２３’        連結部
２３ａ’            幅広部
２３ｂ’            幅狭部
３０                隠しスライドファスナー
３１                規制部材
３２                規制本体部
３３                連結部
４０，４０’        隠しスライドファスナー
４１，４１          規制部材
４４’              スリット
【発明を実施するための最良の形態】
【００３１】
以下、本発明の実施の形態について、実施例を挙げて図面を参照しながら詳細に説明する。なお、本発明は、以下で説明する各実施例に何ら限定されるものではなく、本発明と実質的に同一な構成を有し、かつ、同様な作用効果を奏しさえすれば、多様な変更が可能である。
【実施例１】
【００３２】
図１は、本発明の実施例１に係る隠しスライドファスナーの正面図であり、図２は、図１に示したＩＩ−ＩＩ線断面図である。図３は、同隠しスライドファスナーに配された規制部材を説明する説明図であり、図４は、同規制部材の側面図である。なお、以下では、ファスナーテープの長さ方向を前後方向と規定し、ファスナーテープのテープ本体部におけるテープ幅方向を左右方向と規定して説明を行う。【００３３】
本実施例１の隠しスライドファスナー１０は、左右のファスナーテープ２のそれぞれに連続エレメント列３が縫着された左右一対のファスナーストリンガー１と、左右の連続エレメント列３を噛合・分離させるスライダー４とを有している。また、ファスナーストリンガー１は、Ｕ字状に折り曲げられた左右一対のファスナーテープ２と、折り曲げられた各ファスナーテープ２の外面に縫着糸５を用いて縫着された連続エレメント列３と、同ファスナーテープ２の内面に前記縫着糸５を用いて連続エレメント列３とともに縫着された規制部材１１とを備えている。【００３４】
左右の前記ファスナーテープ２は、同ファスナーテープ２の対向側側縁部が、テープ長さ方向に沿ってテープ幅方向にＵ字状に折り曲げられており、隠しスライドファスナー１０の露出面側に配されるテープ本体部２ａと、同テープ本体部２ａから連続して配され、Ｕ字状に折り曲げられたテープ折曲部２ｃと、同テープ折曲部２ｃの側端縁からテープ幅方向に延びた折り返し片部２ｂとをそれぞれ有している。【００３５】
前記連続エレメント列３は、ポリアミドやポリエステル等の合成樹脂製のモノフィラメントから成形されたコイル状のエレメント列により形成されている。この連続エレメント列３を構成する各ファスナーエレメント６は、噛合頭部６ａと、同噛合頭部６ａから延設された上下脚部６ｂ，６ｃと、上脚部６ｂ又は下脚部６ｃの端部を、隣接するファスナーエレメント６の下脚部６ｃ又は上脚部６ｂと連結する脚部連結部６ｄとを有している。【００３６】
更に、連続エレメント列３は、同連続エレメント列３の上下脚部６ｂ，６ｃ間に芯紐７が挿通され、且つ、噛合頭部６ａがテープ折曲部２ｃからテープ幅方向（左右方向）の外方へ向けて突出した状態となるように、ファスナーテープ２に縫着されている。【００３７】
前記規制部材１１は、図３及び図４に示したように、薄肉の小片状に形成され、正面視にて矩形状を呈する複数の規制本体部１２と、同規制本体部１２をテープ長さ方向に連結する連結部１３とを有している。前記連結部１３は一定の幅寸法を有するフィルム状に形成されており、同連結部１３に、小片状の規制本体部１２がテープ長さ方向に所定の間隔をもって一体成形されているため、各規制本体部１２は連結部１３を介してひとつながりに連結されている。【００３８】
この場合、小片状の規制本体部１２とフィルム状の連結部１３とは二色成形により形成されている。また、規制本体部１２は、ポリアミド、ポリアセタール、ポリプロピレン、ポリブチレンテレフタレートなどの硬質の合成樹脂を用いて成形され、連結部１３は、例えばポリウレタン、シリコーンゴム、熱可塑性エラストマーなどの規制本体部１２よりも軟質の合成樹脂を用いて成形されている。なお、本発明において、規制部材１１の材質は限定されるものではなく、任意に変更することができる。【００３９】
また、ファスナーテープ２の折り返し片部２ｂに縫着された規制部材１１（特に、規制本体部１２）は、折り返し片部２ｂのうち、ファスナーエレメント６が縫着された面とは反対側の面であって、連続エレメント列３が噛合したときに、同規制部材１１の一側縁がファスナーテープ２のテープ折曲部２ｃの内面に当接する位置に配されている。なお、本発明において、各規制部材１１の形状や寸法は特に限定されるものではないが、例えば規制部材１１を、同規制部材１１の他側縁とファスナーテープ２の折り返し片部２ｂ側の側縁とのテープ幅方向における位置を合わせて縫着したときに、同規制部材１１の一側縁がファスナーテープ２のテープ折曲部２ｃの内面に当接するように規制部材１１の形状や寸法を設定することが好ましい。【００４０】
本実施例１における前記スライダー４としては、従来の隠しスライドファスナーにおいて一般的に用いられているスライダーを用いることができる。例えば、このような隠しスライドファスナー用のスライダー４は、左右の側縁に逆Ｌ字断面の第１フランジが立設された下翼板と、同下翼板の前端部に立設された案内柱と、同案内柱の上面側周縁部から延設された第２フランジと、同第２フランジの上面にスライダー４摺動方向に延在する門型の引手取付柱４ａと、同引手取付柱４ａに回動自在に取着された引手４ｂとを有しており、下翼板と第１フランジとに囲まれるようにエレメント案内路が形成されている。【００４１】
上述のような本実施例１の隠しスライドファスナー１０を製造する場合、先ず、Ｕ字状に折り曲げられてない状態のファスナーテープ２を準備し、同ファスナーテープ２の折り返し片部２ｂとなる所定の部位に、コイル状の連続エレメント列３と規制部材１１とを配置して縫着糸５を用いて縫着する。【００４２】
このとき、連続エレメント列３は、上下脚部６ｂ，６ｃ間に芯紐７を挿通し、且つ、噛合頭部６ａをテープ本体部２ａ側に向けた状態に配置される。また、規制部材１１は、その連結部１３を折り返し片部２ｂの内面に接触させ、且つ、左右の連続エレメント列３を噛合させたときに同規制本体部１２の一側縁がテープ折曲部２ｃの内面に当接するように配置される。そして、連続エレメント列３と規制部材１１とは、上述のような所定の位置に配置された状態で、縫着糸５の二重環縫いにより一緒に縫着される。【００４３】
特に、本実施例１の隠しスライドファスナー１では、規制部材１１における複数の小片状の規制本体部１２が間欠的に配されているものの、これらの規制本体部１２は連結部１３により一連に連結されている。このため、小片状の各規制本体部１２を１つ１つ位置合わせしなくても、規制部材１１の連結部１３をファスナーテープ２の所定位置に配置して縫製することにより、規制部材１１の縫製作業を煩雑にすることなく、各規制本体部１２を所定の位置へ容易に且つ安定して縫着することができる。【００４４】
このようにして連続エレメント列３及び規制部材１１を同時にファスナーテープ２に縫着した後、同ファスナーテープ２を、テープ長さ方向に沿って、テープ幅方向にＵ字状に折り曲げる。これにより、そのＵ字状に折り曲げられたテープ折曲部２ｃから連続エレメント列３の噛合頭部６ａをテープ幅方向の外方に向けて突出させる。続いて、噛合頭部６ａがテープ折曲部２ｃから突出した状態のままファスナーテープ２に熱セットを行う。その後、左右の連続エレメント列３にスライダー４を摺動可能に取着することによって、本実施例１の隠しスライドファスナー１０が得られる。【００４５】
このようにして得られた本実施例１の隠しスライドファスナー１０によれば、スライダー４を摺動させて左右の連続エレメント列３を噛合させたときに、左右のテープ折曲部２ｃが互いに付き合わされるとともに、規制部材１１がテープ折曲部２ｃの内面に当接して同テープ折曲部２ｃを押さえることができるため、左右のテープ折曲部２ｃが互いに付き合わされた状態を安定して保持することができる。これにより、噛合状態にある左右の連続エレメント列３を、互いに付き合せられている左右のテープ折曲部２ｃによってファスナーテープ２のテープ露出面側から見えないように隠蔽することができる。【００４６】
特に、同隠しスライドファスナー１０は、左右の連続エレメント列３が噛合している状態にて、左右のファスナーテープ２が横引き力を受けてテープ幅方向に沿って外側に引っ張られた場合でも、硬質樹脂からなる規制本体部１２によって、左右のテープ折曲部２ｃが互いに離間する方向へ移動することを規制して左右のテープ折曲部２ｃの位置が変動することを防ぐため、左右のテープ折曲部２ｃが付き合わされた状態を安定して保持することができる。【００４７】
これにより、噛合状態にある連続エレメント列３が、ファスナーテープ２のテープ外面側から見えないように、左右のテープ折曲部２ｃによって隠蔽されている状態を維持することができる。従って、本実施例１の隠しスライドファスナー１０は、例えばシートカバー等の製品に取着された場合でも、連続エレメント列３を安定して隠蔽し、製品の体裁やデザイン性を維持することができる。【００４８】
更に、本実施例１の隠しスライドファスナー１０では、硬質の規制本体部１２がテープ長さ方向に間欠的に配されており、これらの規制本体部１２を連結する連結する連結部１３が軟質樹脂により成形されている。このため、規制部材１１が折り返し片部２ｂに縫着されていても、同折り返し片部２ｂの可撓性を確保することができる。【００４９】
従って、スライダー４を摺動させて隠しスライドファスナー１０を開閉する際に、ファスナーテープ２の折り返し片部２ｂをスライダー４のエレメント案内路の形状に沿って容易に撓ませながらスライダー４を円滑に摺動させることができる。このため、スライダー４の摺動抵抗が増大することを防いで、隠しスライドファスナー１０の開閉操作を円滑に行うことができる。【００５０】
なお、本実施例１の隠しスライドファスナー１０では、図３及び図４に示したように、小片状の各規制本体部１２が、一定の幅寸法を有するフィルム状の連結部１３により連結されて折り返し片部２ｂに縫着されているが、本発明はこれに限定されるものではない。例えば図５に実施例１の変形例を示したように、幅広部１３ａ’と幅狭部１３ｂ’が交互に配された連結部１３’の幅広部１３ａ’に、小片状の規制本体部１２を一体成形することによって、規制部材１１’を形成することも可能である。【００５１】
このような規制部材１１’を用いて構成された隠しスライドファスナーであっても、規制部材１１の縫製作業を容易に行うことができる。また、同隠しスライドファスナーは、連続エレメント列３及び規制部材１１’が縫着された折り返し片部２ｂの可撓性を、前記実施例１の隠しスライドファスナー１０よりも更に向上させることができるため、スライダー４の摺動操作をより円滑に行うことが可能となる。【００５２】
更に実施例１では、例えば隠しスライドファスナーが使用される製品の用途等から折り返し片部２ｂに優れた可撓性が求められる場合などでは、規制部材１１に連結部１３を設けずに、小片状の各規制本体部１２を互いに連結させることなく折り返し片部２ｂに独立に配置して縫着することができる。また、例えば規制部材１１における各規制本体部１２のテープ長さ方向における寸法をより短く設定することによって、折り返し片部２ｂの可撓性を更に向上させることも可能である。
【実施例２】
【００５３】
図６は、本発明の実施例２に係る隠しスライドファスナーの断面図であり、図７は、同隠しスライドファスナーが有する規制部材を示す斜視図である。
なお、本実施例２に係る隠しスライドファスナー２０、及び、後述する実施例３，４に係る隠しスライドファスナー３０，４０では、ファスナーテープの折り返し片部に縫着される規制部材が前述の実施例１における隠しスライドファスナー１０と相違しており、それ以外の構成については実施例１と実質的に同じである。従って、本実施例２、及び、後述する実施例３，４において、前述の実施例１にて説明した部材と同様の構成を有するものについては、同じ符号を用いて表すことによってその説明を省略することとする。【００５４】
本実施例２の隠しスライドファスナー２０は、左右一対のファスナーストリンガー１と、スライダー４とを有しており、前記ファスナーストリンガー１は、左右一対のファスナーテープ２と、各ファスナーテープ２の折り返し片部２ｂの外面に縫着された連続エレメント列３と、同折り返し片部２ｂの内面に縫着糸５を用いて連続エレメント列３とともに縫着された規制部材２１とを備えている。【００５５】
本実施例２の規制部材２１は、図７に示したように、正面視にて矩形状の小片状に形成された複数の規制本体部２２と、同規制本体部２２をテープ長さ方向に連結する連結部２３とを有している。前記連結部２３は一定の幅寸法を有するフィルム状に形成されており、同連結部２３には、小片状の規制本体部２２がテープ長さ方向に所定の間隔をもって一体成形されているため、各規制本体部２２は連結部２３を介してひとつながりに連結されている。【００５６】
この場合、規制部材２１の規制本体部２２は、前記実施例１と同様に、左右の連続エレメント列３が噛合したときに、同規制部材２１の一側縁がファスナーテープ２のテープ折曲部２ｃの内面に当接する位置に配されている。また、各規制本体部２２の折り返し片部２ｂに接触する第１面とは反対側の第２面には、縫着糸５を収容する収容溝２２ａがテープ長さ方向に沿って凹設されている。【００５７】
前記縫着糸５は、連続エレメント列３及び規制部材２１を二重環縫いにより縫着するため、規制部材２１の第２面側を走行する針糸５ａと、同針糸５ａに交絡しながら連続エレメント列３の下脚部６ｃ下面側を走行するルーパ糸５ｂとを有している。【００５８】
従って、前記収容溝２２ａでは、規制部材２１の第２面側を走行する針糸５ａを確実に収容するように、同収容溝２２ａの溝幅は、規制部材２１の第２面側を走行する針糸５ａの走行位置が収容溝２２ａ内に含まれるように設定され、収容溝２２ａの溝深さは、縫着糸５の直径よりも大きくなるように設定されている。【００５９】
このような規制本体部２２に収容溝２２ａが形成された規制部材２１を、ファスナーテープ２の折り返し片部２ｂに連続エレメント列３とともに縫着することによって、図６に示したように、規制本体部２２の第２面側を走行する縫着糸５（針糸５ａ）が収容溝２２ａ内に収容されるため、同縫着糸５は、規制部材２１の第２面よりも低い位置に（言い換えると、規制本体部２２の第２面よりも折り返し片部２ｂ側の位置に）配される。【００６０】
このような規制部材２１を有する本実施例２の隠しスライドファスナー２０は、前記実施例１の隠しスライドファスナー２０と同様に、左右の連続エレメント列３の噛合時に、左右のテープ折曲部２ｃが互いに付き合わされるとともに、規制部材２１がテープ折曲部２ｃの内面に当接して同テープ折曲部２ｃを押さえることができるため、左右のテープ折曲部２ｃが互いに付き合わされた状態を安定して保持することができる。従って、左右のファスナーテープ２が横引き力を受けて外側に引っ張られても、左右のテープ折曲部２ｃが互いに離間する方向へ移動することを規制して、噛合状態にある左右の連続エレメント列３が隠蔽されている状態を維持することができる。【００６１】
更に、同隠しスライドファスナー２０は、規制部材２１の第２面側を走行する縫着糸５が収容溝２２ａ内に収容されているため、スライダー４が連続エレメント列３に沿って摺動する際に、その縫着糸５とスライダー４とが互いに干渉することを防止できる。これにより、スライダー４の摺動抵抗が小さくなり、スライダー４をより円滑に摺動させることができるとともに、縫着糸５に糸切れが生じることも効果的に防止することができる。【００６２】
なお、本実施例２の隠しスライドファスナー２０では、図７に示したように、小片状の各規制本体部２２が、一定の幅寸法を有するフィルム状の連結部２３により連結されて折り返し片部２ｂに縫着されている。しかしながら、前記実施例１の変形例にて説明したように、この実施例２においても、例えばファスナーテープ２の折り返し片部２ｂにおける可撓性を高めるために、図８に示したように、幅広部２３ａ’と幅狭部２３ｂ’が交互に配された連結部２３’の幅広部１３ａ’に、小片状の規制本体部２２を一体成形することによって、規制部材２１’を形成することも可能である。また、必要に応じて、小片状の各規制本体部２２を、連結部２３によって連結せずに規制部材を構成することも可能である。
【実施例３】
【００６３】
図９は、本発明の実施例３に係る隠しスライドファスナーの断面図であり、図１０は、同隠しスライドファスナーが有する規制部材を示す正面図である。
本実施例３の隠しスライドファスナー３０が有する規制部材３１は、テープ長さ方向に沿って所定の間隔で配され、正面視にて矩形状を呈する複数の規制本体部３２と、各規制本体部３２の一側縁を連結する玉縁状の連結部３３とを有している。【００６４】
本実施例３における連結部３３は、断面が円形状に形成されており、例えばポリウレタン、シリコーンゴム、熱可塑性エラストマーなどの軟質の合成樹脂を用いて成形されているため、図１０に示したように、規制部材３１を容易に撓ませることができる。従って、同規制部材３１が折り返し片部２ｂに縫着されていても、同折り返し片部２ｂの可撓性が容易に確保されるため、隠しスライドファスナー３０を開閉する際にスライダー４を円滑に摺動させることができる。【００６５】
このような規制部材３１が縫着された本実施例３の隠しスライドファスナー３０は、図９に示したように、左右の連続エレメント列３の噛合時に、テープ長さ方向に連続して配された玉縁状の連結部３３がファスナーテープ２のテープ折曲部２ｃの内面に当接して、同テープ折曲部２ｃが離間する方向へ移動することを規制している。これにより、前述の実施例１や実施例２よりも更に安定して左右のテープ折曲部２ｃが付き合わされた状態を保持することができるため、隠しスライドファスナー３０の隠蔽性を向上させることができる。【００６６】
また、本実施例３の隠しスライドファスナー３０では、ファスナーテープ２のテープ折曲部２ｃに玉縁状の連結部３３が連続的に当接しているため、テープ折曲部２ｃの形態を安定させて見栄えを良くすることができる。従って、同隠しスライドファスナー３０の意匠性も向上させることができる。
【実施例４】
【００６７】
図１１は、本発明の実施例４に係る隠しスライドファスナーの一方のファスナーストリンガーを示した斜視図である。
本実施例４の隠しスライドファスナー４０が有する規制部材４１は、一定の幅寸法を有する帯状に形成されている。この規制部材４１は、縫着糸５の二重環縫いによって、ファスナーテープ２の折り返し片部２ｂに連続エレメント列３とともにテープ長さ方向に沿って縫着されている。【００６８】
この場合、規制部材４１の材質は特に限定されないが、例えばポリアミド、ポリアセタール、ポリプロピレン、ポリブチレンテレフタレートなどの硬質の合成樹脂を用いることもでき、又は、ポリウレタン、シリコーンゴム、熱可塑性エラストマーなどの軟質の合成樹脂を用いることもできる。例えば、同規制部材４１を硬質樹脂で成形する場合は、前記実施例１〜実施例３の規制本体部１２，２２，３２と同様の厚さで成形することによって、ファスナーテープ２のテープ折曲部２ｃが離間する方向に移動することを容易に規制できる。また、同規制部材４１を軟質樹脂で成形する場合は、例えば同規制部材４１の板厚を前記実施例１〜実施例３の規制本体部１２，２２，３２よりも厚く設定して剛性を高めることにより、ファスナーテープ２のテープ折曲部２ｃの移動を規制することが可能となる。【００６９】
このような本実施例４の隠しスライドファスナー４０においても、左右の連続エレメント列３の噛合時に、帯状の規制部材４１の一側縁がファスナーテープ２のテープ折曲部２ｃの内面に連続的に当接して、左右のテープ折曲部２ｃが付き合わされた状態を保持している。従って、左右のファスナーテープ２が横引き力を受けて外側に引っ張られても、テープ折曲部２ｃの移動が規制され、左右の連続エレメント列３が隠蔽されている状態を安定して維持することができる。【００７０】
なお、例えば図１２に実施例４の変形例を示したように、帯状の規制部材４１’が折り返し片部２ｂの内面に縫着される隠しスライドファスナー４０’において、その規制部材４１’におけるテープ折曲部２ｃに当接する一側縁とは反対側の他側縁から、所定の長さのスリット４４’が切り込まれていることにより、同規制部材４１’をテープ幅方向（左右方向）に撓み易く形成することができる。【００７１】
これにより、スライダー４を摺動させて隠しスライドファスナー４０’を開閉する際に、連続エレメント列３及び規制部材４１’が縫着されたファスナーテープ２の折り返し片部２ｂをスライダー４のエレメント案内路の形状に沿って撓ませながら、スライダー４を円滑に摺動させることができるため、隠しスライドファスナー４０’の操作性を向上させることができる。【００７２】
また、前述の実施例１〜実施例４に示した隠しスライドファスナー１０、１０’、２０、２０’、３０、４０、４０’では、テープ折曲部２ｃの移動を規制する規制部材１１、１１’、２１、２１’、３１、４１、４１’が、縫着糸５によって連続エレメント列３とともに折り返し片部２ｂに縫着されている。しかし、本発明はこれに限定されず、例えば連続エレメント列３を折り返し片部２ｂの外面に縫着した後に、同折り返し片部２ｂの内面に、規制部材を接着又は溶着等によって連続エレメント列３とは別途に取着することも可能である。
【図１】
2010087016.tif 000003
【図２】
2010087016.tif 000004
【図３】
2010087016.tif 000005
【図４】
2010087016.tif 000006
【図５】
2010087016.tif 000007
【図６】
2010087016.tif 000008
【図７】
2010087016.tif 000009
【図８】
2010087016.tif 000010
【図９】
2010087016.tif 000011
【図１０】
2010087016.tif 000012
【図１１】
2010087016.tif 000013
【図１２】
2010087016.tif 000014
【図１３】
2010087016.tif 000015
【国際調査報告】
2010087016.tif 000016
2010087016.tif 000017
2010087016.tif 000018
2010087016.tif 000019